(57)【要約】      （修正有）【課題】効率的に土の排水と通気を行うことができるプランターを提供する。【解決手段】プランター１００は、土を収容するプランター本体１１と、プランター本体１１を支持する支持脚１２とを備え、プランター本体１１は、長板状の底壁と、底壁の短手方向の両端に設けられる前壁及び後壁１１２と、底壁の長手方向の両端に設けられる右壁１１３、及び左壁１１４とを有し、前壁が底壁の短手方向の前側の端辺から上方へ向かって前側に傾斜するよう設けられ、前壁及び後壁１１２が、簀状に間隙を設けながら並べられた複数の長板３から構成する。【選択図】図１
2015107086.tif 000002
【特許請求の範囲】
【請求項１】
土を収容するプランター本体と、該プランター本体を支持する支持脚とを備えたプランターであって、
前記プランター本体は、長板状の底壁と、前記底壁の短手方向の両端に設けられる前壁、及び後壁と、前記底壁の長手方向の両端に設けられる右壁、及び左壁と、を有し、
前記前壁が、前記底壁の短手方向前側の端辺から上方へ向かって手前側に傾斜するよう設けられ、
前記前壁、及び前記後壁は、複数の長板が間隙を設けながら簀状に並べられて形成されていることを特徴とするプランター。
【請求項２】
前記後壁が、前記底壁の短手方向後側の端辺から上方へ向かって後側に傾斜するよう設けられている請求項１に記載のプランター。
【請求項３】
前記後壁が、前記底壁の短手方向後側の端辺から上方へ向かって鉛直に設けられている請求項１に記載のプランター。
【請求項４】
前記前壁、及び前記後壁の長板が長手方向を水平にして並べられている請求項１から請求項３のいずれか１項に記載のプランター。
【請求項５】
前記前壁、及び前記後壁の長板が長手方向を上下方向にして並べられている請求項１から請求項３のいずれか１項に記載のプランター。
【請求項６】
前記右壁、及び前記左壁は、複数の長板が間隙を設けながら簀状に並べられて形成されていることを特徴とする請求項１から請求項５のいずれか１項に記載のプランター。
【発明の詳細な説明】
【技術分野】
【０００１】
この発明は、支持脚により設置面から土を入れる本体部分を離間させ、下方に空間を設けたプランターに関する。
【背景技術】
【０００２】
従来、支持脚を設けて下方に空間を形成し、車椅子使用者がこの下方の空間に車椅子を進入できるようにしたプランターが提案されている（例えば、特許文献１参照）。
【０００３】
この特許文献１のプランターは、支持脚を設ける他に、土を収容するプランター内の空間が略Ｖ字の縦断面を有するよう前後の側面板を傾斜させることによって、さらにプランターの下方へ車椅子を進入させやすくしている。
【０００４】
そして、特許文献１のプランターでは、左右の側面板の下端同士を離間させて水抜き及び通気のための間隙が設けられている。
【先行技術文献】
【特許文献】
【０００５】
【特許文献１】特開２００４−２６７７０９号公報
【発明の概要】
【発明が解決しようとする課題】
【０００６】
しかし、プランターの下方へ車椅子を入れるためには、プランターが車椅子の幅より長い必要が有る。また、車椅子で庭を動き回るのは無理があるため、小さいプランターを複数配置するより、１つのプランターで多くの植物を栽培する方が好ましい。このようなことから、この種のプランターは、必然的に大きくなるため、特許文献１のプランターのように、水抜き等に使われる間隙を下方に１本備えるのみでは、土に対し充分な排水や通気を行えないという問題が有った。
本発明は、上記課題に鑑みてなされたものであり、車椅子が下方へ入るほど大きくしても、土に対し充分な排水や通気を行うことができるプランターの提供を目的とする。
【課題を解決するための手段】
【０００７】
上記課題を解決するためになされた発明は、土を収容するプランター本体と、該プランター本体を支持する支持脚とを備えたプランターであって、前記プランター本体は、長板状の底壁と、前記底壁の短手方向の両端に設けられる前壁、及び後壁と、前記底壁の長手方向の両端に設けられる右壁、及び左壁と、を有し、前記前壁が、前記底壁の短手方向前側の端辺から上方へ向かって手前側に傾斜するよう設けられ、前記前壁、及び前記後壁は、複数の長板が間隙を設けながら簀状に並べられて形成されていることを特徴とする。
【０００８】
本発明に係るプランターでは、このように、プランター本体が支持脚により支持され、前壁が上方に向かい手前側に傾斜するよう設けられていることから、プランター本体の下方へ車椅子を進入させることができる。また、プランター本体の内部は前壁が傾斜していることで、底壁の最も深い部分から手前側に欠けて徐々に浅くなるため、底壁辺りには深く根を張る根菜等を植えて手前側には根の浅い葉野菜などを植える等、土の深さに合わせて各種の植物を栽培することができる。そして、前壁、及び後壁を形成する長板間に間隙が設けられていることから、プランター本体に収容された土の排水や通気を効率よく行うことができる。
【０００９】
本発明のプランターは、前記後壁が、前記底壁の短手方向後側の端辺から上方へ向かって後側に傾斜するよう設けられていることが好ましい。こうすることで、後方からもプランター本体の下方へ車椅子を進入させることができる。
【００１０】
前記後壁は、前記底壁の短手方向後側の端辺から上方へ向かって鉛直に設けられていてもよい。こうすることで、プランターの後壁を家の壁や塀等に当接させるようプランターを設置することができる。
【００１１】
前記前壁、及び前記後壁の長板は、長手方向を水平にして並べられていてもよいし、長手方向を上下方向に向けて並べられていてもよい。
【００１２】
前記右壁、及び前記左壁は、複数の長板が簀状に間隙を設けながら並べられて形成されていることが好ましい。右壁、及び左壁にも間隙を設けることで、プランター本体内の土の排水性・通気性をさらに向上させることができる。
【発明の効果】
【００１３】
以上説明したように、本発明のプランターによれば、土の排水や通気を効率的に行う  ことができる。
【図面の簡単な説明】
【００１４】
【図１】本発明の第１実施形態に係るプランターの斜視図である。
【図２】本発明の第１実施形態に係るプランターの（ａ）正面図、（ｂ）側面図、（ｃ）底面図である。
【図３】本発明の第２実施形態に係るプランターを後壁側から見た斜視図である
【図４】本発明の第３実施形態に係るプランターの斜視図である。
【図５】本発明の第４実施形態に係るプランターの斜視図である。
【図６】（ａ）前壁、及び後壁の長板を鎧戸状に並べた例を示した模式的端面図である。（ｂ）右壁、及び左壁の長板間に間隙を設けた例を示した部分側面図である。
【図７】本発明の第１実施形態に係るプランターの使用状態を示す斜視図である。
【発明を実施するための形態】
【００１５】
以下、適宜図面を用いて本発明の実施形態について詳述する。尚、本発明は、以下の実施形態に限られるものではない。
（第１実施形態）
図１は、本発明の第１実施形態に係るプランター１００を示している。プランター１００は、プランター本体１１と、左右一対の支持脚１２，１２とを、主に備えている。
【００１６】
プランター本体１１は、図２に示すように、底壁１１０と、前壁１１１と、後壁１１２と、右壁１１３と、左壁１１４とを主に備える他、枠部１１５を備えている。
【００１７】
底壁１１０は、図２（ｃ）に示すように、厚み方向を上下にして水平に配した１枚の木製の長板５からなり、前壁１１１、後壁１１２は、それぞれ複数本の木製の長板３が、厚み方向を鉛直方向に対し傾斜させ、長手方向を水平方向にして簀状に並べて形成され、隣接する長板３，３の間には、土の通気や換気を行うための間隙１１６を備えている。
【００１８】
前壁１１１、及び後壁１１２の長板３は、左右の両端部で、長板３と垂直に設けられる連結部材１１７により連結されている。前壁１１１及び後壁１１２は、底壁１１０に対しそれぞれ前側及び後側へ傾斜しており、これにより、プランター本体１１は、縦断面が略Ｖ字形状をなしている。
【００１９】
右壁１１３、及び左壁１１４は、図２（ｂ）に示すように、逆台形に切断した長板４を並べて内面側で連結部材１１８（図１参照）により連結され、底板１１０に垂直に設けられている。
【００２０】
枠部１１５は、図１に示すように、長板６を角枠状に組んで形成され、プランター本体１１の上部開口を囲繞するよう設けられている。
【００２１】
一対の支持脚１２は、それぞれプランター本体１１の平面視における隅部に配された前後２本の縦部材１２１，１２１と、前後２本の縦部材１２１，１２１を連結する横部材１２２とを備えている。横部材１２２には、プランター本体の底壁１１０の両端部が載置されている。
【００２２】
プランター１００を用いて植物の栽培を行う際には、図７に示したように、プランター本体１１の内部に透水性、及び通気性を有する不織布からなるシート７を敷くことが好ましい。こうすることで、間隙１１６からの土の流出を防止できる。そして、シート７の上に土を投入し、種や苗を植えて植物を栽培する。
【００２３】
プランター１００は、プランター本体１１が、支持脚１２により接地面から離間して支持されているため、地面から虫が移ることが抑制される。加えて、前壁１１２が前方へ傾斜しているため、車椅子をプランター本体１１の下方へ進出させることができる。プランター本体１００は、内部の空間の縦断面が略Ｖ字に形成されているため、各部の深さの違いを利用して多様な植物を栽培することができる。また、間隙１１６を多数有するため、土の排水及び通気を効率よく行うことができる。
【００２４】
（第２実施形態）
図３は、本発明の第２実施形態に係るプランター２００である。プランター２００は、後壁２１２が、底壁に垂直に設けられている。こうすることで、後壁２１２を家の壁や塀に寄せて壁際や塀際にプランターを配置することができる。尚、符号２１５は、枠部を示している。また、第２実施形態以降の実施形態において、第１実施形態と共通する部材については、同一符号を付して説明を省略する。
【００２５】
（第３及び第４実施形態）
本発明は、図４に示した第３実施形態のプランター３００のように、前壁３１１（図３には表れず）、又は後壁３１２が側面視で外側へ湾出する湾曲面であってもよく、図５に示した第４実施形態のプランター４００のように、前後左右の壁４１１，４１２，４１３，４１４において、長板３、４の長手方向を上下にして並べてもよい。尚、符号３１５、４１５は枠部を示している。
【００２６】
（その他の実施形態）
また、本発明のプランターは、図６（ａ）に示したように、前壁５１１及び後壁５１２の長板３を鎧戸状に並べてもよい。図６（ｂ）に示したように、右壁６１３、及び左壁６１４に間隙６１６を設けることもできる。脚部は、プランター本体を地面から離間させて支持可能であれば、公知の形態を適宜採用できる。長板は木材に限らず、樹脂や金属製のものを用いてもよい。尚、符号６１５は、枠部を示している。
【産業上の利用可能性】
【００２７】
本発明のプランターによれば、土の排水と通気を効率よく行うことができるため、家庭菜園用のプランターとして好適に用いることができる。
【符号の説明】
【００２８】
１００，２００，３００，４００  プランター
１１，２１，３１，４１  プランター本体
１１０，５１０  底壁
１１１，２１１，５１１  前壁
１１２，２１２，３１２，４１２，５１２  後壁
１１３，２１３，３１３，４１３，６１３  右壁
１１４，２１４，３１４，４１４，６１４  左壁
１１６，２１６，３１６，４１６，５１６，６１６  間隙
１２，２２，３２，４２  脚部
【図１】
2015107086.tif 000003
【図２】
2015107086.tif 000004
【図３】
2015107086.tif 000005
【図４】
2015107086.tif 000006
【図５】
2015107086.tif 000007
【図６】
2015107086.tif 000008
【図７】
2015107086.tif 000009